(57)【要約】【課題】蓋板の照明装置本体からの取り外し作業を容易にすることができる照明装置を提供する。【解決手段】センタカバー３は、照明装置本体に対して着脱することが可能であって、照明装置本体の中央部に設けられた開口部１０を覆うことができる。センタカバー３の一方側には、センタカバー３を照明装置本体に取り付けるための引掛部（３１、２１）を設けてある。また、センタカバー３の他方側には、センタカバー３を照明装置本体に取り付けるための付勢部（４１、２２）を設けてある。【選択図】図２
2013026044.tif 000002
【特許請求の範囲】
【請求項１】
光源部を有する照明装置本体と、該照明装置本体に着脱可能に取り付けられる蓋板とを備える照明装置において、
前記蓋板の一方側を前記照明装置本体に引掛けて保持することが可能な引掛部と、
前記蓋板の他方側を付勢力で前記照明装置本体に係止するための付勢部と
を備えることを特徴とする照明装置。
【請求項２】
前記付勢部は、
前記蓋板の他方側を前記照明装置本体に係止した係止状態で該蓋板に所定方向の張力を加えることにより前記係止状態から解除可能に構成してあることを特徴とする請求項１に記載の照明装置。
【請求項３】
前記引掛部は、
前記蓋板の前記一方側の表面から前記他方側へ延設された延設部材と、
前記照明装置本体に設けられ、前記延設部材を引掛ける引掛部材と
を備えることを特徴とする請求項１又は請求項２に記載の照明装置。
【請求項４】
前記延設部材との間で前記引掛部材を挟持する挟持部材を備えることを特徴とする請求項３に記載の照明装置。
【請求項５】
前記付勢部は、
前記蓋板の前記他方側に立設された被押圧部材と、
前記照明装置本体に設けられ、前記被押圧部材を押圧するバネ部材と
を備えることを特徴とする請求項１から請求項４までのいずれか１項に記載の照明装置。
【請求項６】
前記付勢部は、
前記蓋板の前記他方側に立設されたバネ部材と、
前記照明装置本体に設けられ、前記バネ部材により押圧される被押圧部材と
を備えることを特徴とする請求項１から請求項４までのいずれか１項に記載の照明装置。
【請求項７】
前記被押圧部材は、
前記バネ部材により押圧される凸部を備え、
前記バネ部材は、
前記蓋板を照明装置本体に取り付けた状態で前記凸部に係止する係止部を備えることを特徴とする請求項５又は請求項６に記載の照明装置。
【請求項８】
前記被押圧部材は、
前記バネ部材により押圧される凹部を備え、
前記バネ部材は、
前記蓋板を照明装置本体に取り付けた状態で前記凹部に係止する係止部を備えることを特徴とする請求項５又は請求項６に記載の照明装置。
【請求項９】
前記係止部は、
前記バネ部材を屈曲させた屈曲面を有し、
前記凸部又は凹部は、
前記屈曲面に当接する当接面を有し、
前記蓋板を照明装置本体から取り外す場合、前記当接面及び前記屈曲面同士を摺動させるように構成してあることを特徴とする請求項７又は請求項８に記載の照明装置。
【発明の詳細な説明】
【技術分野】
【０００１】
本発明は、天井面等に設置される照明装置に関し、照明装置本体に着脱可能に取り付けられる蓋板を備える照明装置に関する。
【背景技術】
【０００２】
近年、省電力化及び長寿命化に優れているとして蛍光灯や白熱灯に替わって発光ダイオード（ＬＥＤ）などを光源とする照明装置の開発が行われており、これらの照明装置は、住宅用の照明に限らず、オフィス又は店舗用の照明などに広く用いられつつある。
【０００３】
例えば、照明装置本体の筐体に平面視略円形の凹部からなる収容部を備え、収容部の外周部に４つの係止孔を有し、照明装置本体を天井面に設置した後、カバーの裏面に設けた４つの係止脚を前述の係止孔に嵌め込むことによりカバーを照明装置本体に取り付けることができるＬＥＤ照明装置が開示されている（特許文献１参照）。
【先行技術文献】
【特許文献】
【０００４】
【特許文献１】特開２０１０−４９８３０号公報
【発明の概要】
【発明が解決しようとする課題】
【０００５】
しかし、特許文献１の照明装置にあっては、円盤状のカバー（蓋板）の周縁部に等間隔に４つの係止脚を設けてあるので、係止脚が一旦係止孔に嵌め込まれた場合、カバーが４か所で照明装置本体と固定されるため、容易にカバーを取り外すことができない。このため、照明装置の保守等でカバーを取り外す際の作業性が悪いという問題がある。また、カバーの周縁部に設けられた係止脚はカバーの中心から外向きに設けられているので、係止脚を係止孔に嵌め込んだつもりが完全に嵌め込まれていなかった場合、カバーの自重で係止脚が係止孔から容易に外れ、カバーが落下するという問題もある。
【０００６】
本発明は斯かる事情に鑑みてなされたものであり、蓋板の照明装置本体からの取り外し作業を容易にすることができる照明装置を提供することを目的とする。
【課題を解決するための手段】
【０００７】
本発明に係る照明装置は、光源部を有する照明装置本体と、該照明装置本体に着脱可能に取り付けられる蓋板とを備える照明装置において、前記蓋板の一方側を前記照明装置本体に引掛けて保持することが可能な引掛部と、前記蓋板の他方側を付勢力で前記照明装置本体に係止するための付勢部とを備えることを特徴とする。
【０００８】
本発明にあっては、蓋板の一方側を照明装置本体に引掛けて保持することが可能な引掛部と、蓋板の他方側を付勢力で照明装置本体に係止するための付勢部とを備える。蓋板の一方側とは、例えば、蓋板の中央部から周辺部寄りの一部分であり、他方側とは、蓋板の中央部を間にして当該一方側と他方側の周辺部寄りの一部分である。蓋板の一方側を照明装置本体に引掛けて保持することが可能な引掛部と、蓋板の他方側を付勢力で照明装置本体に係止するための付勢部とを備える。蓋板を照明装置本体に取り付ける場合、まず引掛部で蓋板の一方側を照明装置本体に引掛けて保持した状態で、次に付勢部で蓋板の他方側を照明装置本体に係止する。付勢力を利用して蓋板を照明装置本体に係止するので、従来の取付構造に比べて容易に取り付けることができるとともに確実に取り付けることができる。また、蓋板の他方側だけを付勢力を利用して取り付けているので、例えば、蓋板の取付箇所のすべてを付勢力で取り付ける場合、あるいは取付箇所のすべてを嵌合させて取り付ける場合等に比べて、容易に取り外すことができる。
【０００９】
本発明に係る照明装置は、前記付勢部は、前記蓋板の他方側を前記照明装置本体に係止した係止状態で該蓋板に所定方向の張力を加えることにより前記係止状態から解除可能に構成してあることを特徴とする。
【００１０】
本発明にあっては、付勢部は、蓋板の他方側を照明装置本体に係止した係止状態で蓋板に所定方向の張力を加えることにより係止状態から解除可能にすることができる。所定方向は、蓋板を照明装置本体から取り外す際に蓋板に加える力の方向であり、例えば、蓋板を引っ張る方向である。これにより、蓋板を引っ張るだけで、蓋板と照明装置本体との係止状態を解除して蓋板を照明装置本体から簡単に取り外すことができる。
【００１１】
本発明に係る照明装置は、前記引掛部は、前記蓋板の前記一方側の表面から前記他方側へ延設された延設部材と、前記照明装置本体に設けられ、前記延設部材を引掛ける引掛部材とを備えることを特徴とする。
【００１２】
本発明にあっては、引掛部は、蓋板の一方側の表面から他方側へ延設された延設部材と、照明装置本体に設けられ、延設部材を引掛ける引掛部材とを備える。延設部材の長さ寸法は、適宜設定することができるが、引掛部材に引掛けるのに十分な長さであればよい。延設部材が、蓋板の一方側の表面から他方側へ延設されているので、延設部材を引掛部材に引掛けた場合、蓋板の自重により延設部材が引掛部材に引掛けた状態を維持することができ、延設部材が引掛部材から抜け落ちることがない。これにより、蓋板の他方側が付勢部により照明装置本体に係止していない状態でも、蓋板の落下を防止することができる。
【００１３】
本発明に係る照明装置は、前記延設部材との間で前記引掛部材を挟持する挟持部材を備えることを特徴とする。
【００１４】
本発明にあっては、延設部材との間で引掛部材を挟持する挟持部材を備える。挟持部材により引掛部材が延設部材から外れることを防止することができるので、蓋板の落下をさらに確実に防止することができる。
【００１５】
本発明に係る照明装置は、前記付勢部は、前記蓋板の前記他方側に立設された被押圧部材と、前記照明装置本体に設けられ、前記被押圧部材を押圧するバネ部材とを備えることを特徴とする。
【００１６】
本発明にあっては、付勢部は、蓋板の他方側に立設された被押圧部材と、照明装置本体に設けられ、被押圧部材を押圧するバネ部材とを備える。バネ部材の付勢力が被押圧部材を押圧するので、蓋板を照明装置本体に確実に係止することができる。また、付勢力よりも大きな力で蓋板を照明装置本体から離すことにより、蓋板を容易に取り外すことができる。
【００１７】
本発明に係る照明装置は、前記付勢部は、前記蓋板の前記他方側に立設されたバネ部材と、前記照明装置本体に設けられ、前記バネ部材により押圧される被押圧部材とを備えることを特徴とする。
【００１８】
本発明にあっては、付勢部は、蓋板の他方側に立設されたバネ部材と、照明装置本体に設けられ、バネ部材により押圧される被押圧部材とを備える。バネ部材の付勢力が被押圧部材を押圧するので、蓋板を照明装置本体に確実に係止することができる。また、付勢力よりも大きな力で蓋板を照明装置本体から離すことにより、蓋板を容易に取り外すことができる。
【００１９】
本発明に係る照明装置は、前記被押圧部材は、前記バネ部材により押圧される凸部を備え、前記バネ部材は、前記蓋板を照明装置本体に取り付けた状態で前記凸部に係止する係止部を備えることを特徴とする。
【００２０】
本発明にあっては、被押圧部材は、バネ部材により押圧される凸部を備え、バネ部材は、蓋板を照明装置本体に取り付けた状態で凸部に係止する係止部を備える。係止部は、例えば、バネ部材の端部、あるいは凸部に係止するようにバネ部材の一部を屈曲させた部分とすることができる。係止部と凸部とが係止するので、蓋板を照明装置本体に確実に係止させることができる。
【００２１】
本発明に係る照明装置は、前記被押圧部材は、前記バネ部材により押圧される凹部を備え、前記バネ部材は、前記蓋板を照明装置本体に取り付けた状態で前記凹部に係止する係止部を備えることを特徴とする。
【００２２】
本発明にあっては、被押圧部材は、バネ部材により押圧される凹部を備え、バネ部材は、蓋板を照明装置本体に取り付けた状態で凹部に係止する係止部を備える。係止部は、例えば、凹部に係止するようにバネ部材の一部を屈曲させた突出部分とすることができる。係止部と凹部とが係止するので、蓋板を照明装置本体に確実に係止させることができる。
【００２３】
本発明に係る照明装置は、前記係止部は、前記バネ部材を屈曲させた屈曲面を有し、前記凸部又は凹部は、前記屈曲面に当接する当接面を有し、前記蓋板を照明装置本体から取り外す場合、前記当接面及び前記屈曲面同士を摺動させるように構成してあることを特徴とする。
【００２４】
本発明にあっては、係止部は、バネ部材を屈曲させた屈曲面を有する。被押圧部材の凸部又は凹部は、屈曲面に当接する当接面を有する。蓋板を照明装置本体に取り付けた状態では、バネ部材の屈曲面と被押圧部材の凸部又は凹部の当接面とは当接した状態でバネ部材と被押圧部材とが係止している。当接面及び屈曲面は、蓋板を照明装置本体から取り外す場合、お互いに摺動するように構成してある。例えば、蓋板を照明装置本体から取り外すため蓋板を照明装置本体から離隔させる場合、当接面及び屈曲面同士を摺動させることにより、蓋板を引っ張るだけで容易に照明装置本体から取り外すことができる。
【発明の効果】
【００２５】
本発明によれば、蓋板の照明装置本体からの取り外し作業を容易にすることができる。
【図面の簡単な説明】
【００２６】
【図１】本実施の形態の照明装置の構成の一例を示す外観図である。
【図２】本実施の形態の照明装置の構成の要部一例を示す断面図である。
【図３】センタカバーの構成の一例を示す断面図である。
【図４】センタカバーの構成の一例を示す平面図である。
【図５】照明装置本体の開口部付近の構成の一例を示す要部断面図である。
【図６】センタカバーの一方側を照明装置本体に引掛ける際の様子を示す説明図である。
【図７】センタカバーの他方側を照明装置本体に係止する際の様子を示す説明図である。
【図８】センタカバーの他方側を照明装置本体に係止した状態の様子を示す説明図である。
【図９】センタカバーを照明装置本体に取り付ける様子を示す説明図である。
【図１０】センタカバーを照明装置本体に取り付ける様子を示す説明図である。
【図１１】センタカバーを照明装置本体に取り付ける様子を示す説明図である。
【図１２】付勢部の構成の他の例を示す説明図である。
【図１３】実施の形態２のセンタカバーの構成の例を示す分解斜視図である。
【図１４】実施の形態２のセンタカバーの要部斜視図である。
【図１５】引掛部材の外観斜視図である。
【図１６】実施の形態３のバネ部材の外観斜視図である。
【図１７】実施の形態３のバネ部材の側面図である。
【発明を実施するための形態】
【００２７】
（実施の形態１）
以下、本発明をその実施の形態を示す図面に基づいて説明する。図１は本実施の形態の照明装置１００の構成の一例を示す外観図である。以下の説明では、照明装置１００として、天井等の取付面に着脱可能に取り付けることができるシーリングライトを例として挙げるが、本実施の形態の照明装置１００は、シーリングライトに限定されるものではない。
【００２８】
図１に示すように、照明装置１００は、金属製（例えば、アルミニウム製）であって略矩形状のシャーシ１を備え、シャーシ１は天井等に取り付け、シャーシ１には、略矩形状であって光拡散性を有する透光カバー２を取り付けてある。シャーシ１、透光カバー２及びシャーシ１と透光カバー２とで囲まれる空間に内蔵される光源部、種々の電気部品、構造部品（不図示）を含めて照明装置本体と称する。透光カバー２の中央部には略矩形状であって着脱可能な蓋板としてのセンタカバー３を取り付けてある。なお、センタカバー３の平面視の形状は、矩形状に限定されるものではなく、円形状、楕円形状、三角形状など他の形状でもよい。
【００２９】
なお、センタカバー３には、照度センサ及びワイヤレスリモートコントロールなどの遠隔操作端末装置（以下、「リモコン」とも称する）からの光信号を受光する受光部（いずれも不図示）のための透明窓（不図示）を設けてある。
【００３０】
図２は本実施の形態の照明装置１００の構成の要部一例を示す断面図である。照明装置１００は、シャーシ１、透光カバー２、センタカバー３等の他に、光源部としてのＬＥＤモジュールを実装した実装基板６、ＬＥＤモジュールに電力を供給する電源部（不図示）などを備える。実装基板６上のＬＥＤモジュールからの光は透光カバー２を透過して外部へ放射される。シャーシ１の中央部には、照明装置１００を天井などの設置面に設置するための略円筒状の取付部材７を設けてある。天井面に固定された引掛けシーリング（不図示）に取付部材７を引掛けることにより、照明装置１００を天井面に設置することができる。
【００３１】
電源部は、ＬＥＤモジュールに所要の電流を供給するための定電流回路を有するとともに、ＬＥＤモジュールに供給する電流を調整（調光）するためのＰＷＭ回路などの電流調整回路、リモコンからの光信号に基づいて照明装置１００の動作を制御する制御回路などを有する。
【００３２】
ＬＥＤモジュールは、例えば、昼光色のＬＥＤモジュールであるが、電球色でもよく、あるいは両者の組み合わせでもよい。昼光色と電球色のＬＥＤモジュールを組み合わせ、それぞれのＬＥＤモジュールに流れる電流を調整することにより、調色機能を実現することができる。図２の構成は、一例であって、図２の例に限定されるものではない。例えば、ＬＥＤモジュールを実装した実装基板６の配置は、他の構成でもよい。
【００３３】
センタカバー３は、照明装置本体に対して着脱することが可能であって、照明装置本体の中央部に設けられた開口部１０を覆うことができる。開口部１０は、照明装置本体を天井面等に設置する際に、天井面に固定した引掛けシーリングに取付部材７を引掛ける作業、電源線などの配線作業のための作業空間へのアクセスを可能にするものである。
【００３４】
センタカバー３の一方側には、センタカバー３を照明装置本体に取り付けるための引掛部（図２で例示する符号３１、２１に相当するもの）を設けてある。また、センタカバー３の他方側には、センタカバー３を照明装置本体に取り付けるための付勢部（図２で例示する符号４１、２２に相当するもの）を設けてある。なお、引掛部及び付勢部の詳細は後述する。
【００３５】
センタカバー３の一方側（片側とも称する）とは、例えば、センタカバー３の中央部から周辺部寄りの一部分であり、他方側（反対側とも称する）とは、センタカバー３の中央部を間にして当該一方側と他方側の周辺部寄りの一部分である。換言すると、センタカバー３の中央を中心として前記一方側と略対称となる位置である。なお、引掛部および付勢部の位置は、センタカバー３の一方側と他方側との両方でセンタカバー３が自重で傾くことなくバランス良く照明装置本体に取り付けることができる箇所であれば、センタカバー３の任意の箇所でよい。
【００３６】
図３はセンタカバー３の構成の一例を示す断面図であり、図４はセンタカバー３の構成の一例を示す平面図である。なお、図４はセンタカバー３を照明装置本体に取り付けた状態で照明装置本体側から見た場合の平面視での状態を表す。
【００３７】
センタカバー３は、平面視が略矩形状（長方形状又は正方形状）の板体３０で構成されている。板体３０の一面（照明装置本体に取り付けた状態で照明装置本体側の表面）には、引掛部としての延設部材３１、３１、付勢部としての被押圧部材４１を設けている。
【００３８】
延設部材３１、３１は、センタカバー３の一方側としての、板体３０の４縁辺のうちの一縁辺の近傍に、お互いに適長離隔して配置されている。また、被押圧部材４１は、センタカバー３の他方側としての、板体３０の前述の一縁辺に対向する他方側の他縁辺の近傍に配置されている。延設部材３１、３１、被押圧部材４１は、平面視が、センタカバー３の重心を囲む三角形の頂点に位置するので、センタカバー３をバランス良く照明装置本体に取り付けることができる。
【００３９】
延設部材３１は、適長の長さ寸法（縁辺に沿った長さ）及び高さ寸法を有し、板体３０の一面に設けた壁部３１１と、当該壁部３１１の先端から板体３０の中央部（前述の縁辺に対応する他方側の縁辺）へ適長の幅寸法だけ延設された延設部３１２とを有する。すなわち、延設部３１２と板体３０の一面との間には、壁部３１１の略高さ寸法、延設部３１２の略長さ寸法及び幅寸法で画定される隙間３１４が形成されている。当該隙間には、後述の引掛部材２１を挿入することにより、延設部材３１を引掛部材２１に引掛けることができる。なお、延設部材３１の長さ寸法は、適宜設定することができるが、引掛部材２１に引掛けるのに十分な長さであればよい。
【００４０】
図３の例では、延設部３１２は、延設方向に沿って板体３０の一面との間隔が大きくなるように傾斜させて設けてある。これにより、センタカバー３を照明装置本体に取り付ける際に、引掛部材２１が挿入される隙間３１４の入り口を広くすることができ、さらに板体３０を照明装置本体に対して斜めにした状態で引掛部材２１が引掛けられるのでセンタカバー３の他方側（反対側）が邪魔になりにくくすることができる。これにより、延設部材３１を引掛部材２１に引掛け易くすることができる。
【００４１】
また、延設部３１２を壁部３１１の先端から板体３０の中央部側に延設することで、延設部３１を引掛部材２１に引掛けたときに、延設部３１が引掛部材２１から抜け落ちず延設部３１のみで安定してセンタカバー３を照明装置本体に保持して仮止めすることができる。
【００４２】
被押圧部材４１は、板体３０の一面から立設した立設部４１１と、立設部４１１の先端に前述の他縁辺側の表面に形成した凸部４１２とを有する。凸部４１２が、後述のバネ部材２２に当接することにより、被押圧部材４１はバネ部材２２により押圧される。センタカバー３を照明装置本体に取り付ける際及び取り外す際に凸部４１２はバネ部材２２に摺動するように構成されている。
【００４３】
板体３０の一面の延設部材３１、３１の間の位置近傍には基台５１を設けてある。基台５１には帯状の板バネ５２を固定してある。板バネ５２の両端は、図４に示すように、平面視がＬ字状に屈曲された形状にしてある。Ｌ字状に形成された端部は、図３に示すように、断面形状が略Ｓ字状に形成された挟持部材５２１をなす。
【００４４】
挟持部材５２１は、センタカバー３の一方側だけを照明装置本体に引掛けた状態、あるいはセンタカバー３の一方側を照明装置本体に引掛けるとともに、他方側も照明装置本体に係止させた状態で、延設部材３１との間で引掛部材２１を挟持する。挟持部材５２１により引掛部材２１が延設部材３１から外れることを防止することができるので、センタカバー３の落下を確実に防止することができる。
【００４５】
図３及び図４の例では、延設部材３１を板体３０の縁辺に沿って離隔して２つ設けているが、これに限定されるものではなく、適長の延設部材３１を板体３０の縁辺に沿って１つ設ける構成でもよい。
【００４６】
図５は照明装置本体の開口部１０付近の構成の一例を示す要部断面図である。照明装置本体は、センタカバー３を照明装置本体に取り付けた状態で、延設部材３１に対応する位置に、引掛部材２１を設けてある。
【００４７】
引掛部材２１は、例えば、金属製の板材の端部を断面形状が略Ｌ字状に形成したものである。なお、引掛部材２１の材質は金属製に限らず合成樹脂製でもよい。延設部３１２と板体３０の一面との間の隙間に引掛部材２１を挿入することにより、延設部材３１を引掛部材２１に引掛けることができる。
【００４８】
また、照明装置本体は、センタカバー３を照明装置本体に取り付けた状態で、被押圧部材４１に対応する位置に、バネ部材２２を設けてある。
【００４９】
バネ部材２２は、被押圧部材４１の幅寸法と略同寸法の幅寸法を有する。バネ部材２２は、長手方向が、センタカバー３を照明装置本体に取り付ける場合、あるいは取り外す場合に、被押圧部材４１の凸部４１２が移動する方向、すなわち略垂直方向となるように設けてある。また、バネ部材２２は、先端側が照明装置本体の中央部に近づくように垂直方向に対して傾斜させて設けている。これにより、被押圧部材４１の凸部４１２が照明装置本体側へ移動するにつれて（すなわち、センタカバー３を照明装置本体に近づけるにつれて）、バネ部材２２が被押圧部材４１を押圧する力が増加するようになっている。
【００５０】
バネ部材２２の先端側には、被押圧部材４１の凸部４１２に係止する係止部２２１を有する。係止部２２１は、バネ部材の端部を透光カバー２の外側に向けて略Ｌ字状に屈曲させたものである。
【００５１】
上述のように、本実施の形態では、センタカバー３の一方側を照明装置本体に引掛けて保持することが可能な引掛部としての延設部材３１及び引掛部材２１と、センタカバー３の中央部を間にして当該一方側の他方側を付勢力で照明装置本体に係止するための付勢部としての被押圧部材４１及びバネ部材２２とを備える。センタカバー３を照明装置本体に取り付ける場合、まず引掛部でセンタカバー３の一方側を照明装置本体に引掛けて保持した状態で、次に付勢部でセンタカバー３の他方側を照明装置本体に係止する。付勢力を利用してセンタカバー３を照明装置本体に係止するので、容易に取り付けることができるとともに、凸部４１２が２２１ａに係止して初めてセンタカバー３が照明装置本体に取り付けられるので、確実に取り付けることができる。
【００５２】
また、付勢部としての被押圧部材４１及びバネ部材２２は、センタカバー３の他方側を照明装置本体に係止した係止状態でセンタカバー３に所定方向の張力を加えることにより係止状態から解除可能にすることができる。所定方向は、センタカバー３を照明装置本体から取り外す際にセンタカバー３に加える力の方向であり、例えば、センタカバー３を下方に引っ張る方向である。これにより、センタカバー３を引っ張るだけで、センタカバー３と照明装置本体との係止状態を解除してセンタカバー３を照明装置本体から簡単に取り外すことができる。すなわち、センタカバー３の他方側だけを付勢力を利用して取り付けているので他方側を引っ張るだけで付勢部による係止を取り外すことができ、例えば、センタカバーの取付箇所のすべてを付勢力で取り付ける場合、あるいは取付箇所のすべてを嵌合させて取り付ける場合等に比べて、容易に取り外すことができる。さらに、図２に示すように、センタカバー３の他方側（縁辺部）と照明装置本体（透光カバー２）との間に、センタカバー３の他方側を指で引掛けて引っ張るための隙間３０１を設けてあるので、容易に付勢部による係止を取り外すことができる。
【００５３】
図６はセンタカバー３の一方側を照明装置本体に引掛ける際の様子を示す説明図である。図６に示すように、延設部材３１の延設部３１２が、センタカバー３の一方側の表面から他方側へ延設されているので、延設部材３１を引掛部材２１に引掛けた場合、センタカバー３の自重により延設部材３１が引掛部材２１に引掛けた状態を維持することができ、延設部材３１が引掛部材２１から抜け落ちることがない。これにより、センタカバー３の他方側の被押圧部材４１が照明装置本体のバネ部材２２に係止していない状態でも、センタカバー３の落下を防止することができる。
【００５４】
また、挟持部材５２１は、センタカバー３の一方側だけを照明装置本体に引掛けた状態で、延設部材３１との間で引掛部材２１を挟持する。すなわち、引掛部材２１の先端およびＬ字に屈曲された引掛け部材２１の角部が延設部材３１及び挟持部材５２１により狭持されることで、センタカバー３は照明装置本体の中心と反対方向に強く力を入れて押されない限り、引掛部材２１は延設部材３１から外れにくい状態となる。これにより、引掛部材２１が延設部材３１から外れることを防止することができるので、センタカバー３の落下をさらに確実に防止することができる。
【００５５】
図７はセンタカバー３の他方側を照明装置本体に係止する際の様子を示す説明図である。図７で示す状態は、図６で例示したように、センタカバー３の延設部材３１を照明装置本体の引掛部材２１に引掛けて保持した状態を示す。センタカバー３の一方側だけが照明装置本体に保持（仮留め）されているので、センタカバー３は水平方向に対して傾いた状態となる。
【００５６】
図７に示すように、センタカバー３の延設部材３１を照明装置本体の引掛部材２１に引掛けて保持した状態で、センタカバー３の他方側を照明装置本体の方向（図７中、矢印Ａで示す方向）に向かって押し上げる。センタカバー３の他方側を単に押し上げるだけで、被押圧部材４１の凸部４１２がバネ部材２２の表面を摺動して、バネ部材２２の先端側へ移動する。この際にバネ部材２２は、付勢力に反する方向（図７中、矢印Ｂで示す方向）に撓むので、バネ部材２２の被押圧部材４１に対する押圧力は増加する。
【００５７】
被押圧部材４１の凸部４１２が、バネ部材２２の先端が屈曲した角に位置する係止部２２１付近に到達した状態でバネ部材２２の被押圧部材４１に対する押圧力は最も大きくなる。しかし、凸部４１２が係止部２２１を通過した後は、バネ部材２２の付勢力により、バネ部材２２の撓みが軽減してバネ部材２２は元の形状に近い形状に戻り、凸部４１２の当接面４１２ａが係止部２２１の屈曲面２２１ａに当接した状態で、係止部２２１が凸部４１２に係止する。
【００５８】
従って、凸部４１２がバネ部材２２の係止部２２１を通過して初めてセンタカバー３の他方側が照明装置本体に係止する。すなわち、取付作業時に凸部４１２が係止部２２１に到達するまでは、凸部４１２にはバネ部材２２の付勢力により照明装置本体から離れる方向に力が作用するので、バネ部材２２の係止部２２１の手前で凸部４１２が止まった状態で保持されることがない。これにより、付勢部による係止がなされない場合にはセンタカバー３は引掛部のみにより保持され、必ず水平方向に対して傾斜した状態となるので、センタカバー３の取り付けが不完全であることが容易にわかるので、落下を未然に防ぐことができる。
【００５９】
図８はセンタカバー３の他方側を照明装置本体に係止した状態の様子を示す説明図である。バネ部材２２の付勢力によりバネ部材２２が被押圧部材４１を押圧し、凸部４１２の当接面４１２ａが係止部２２１の屈曲面２２１ａに当接した状態で、係止部２２１が凸部４１２に係止するので、センタカバー３を照明装置本体に確実に係止することができる。
【００６０】
また、図８に示すように、センタカバー３を照明装置本体から取り外す場合には、センタカバー３を照明装置本体と反対の方向（図８中、矢印Ｃで示す方向）に押し下げる。
【００６１】
凸部４１２の当接面４１２ａ及び係止部２２１の屈曲面２２１ａは、センタカバー３を照明装置本体から取り外す場合、係止状態から互いに摺動して係止状態の解除が可能となるように構成してある。すなわち、当接面４１２ａ及び屈曲面２２１ａは、垂直方向に対して摺動し易いように傾斜させてある。センタカバー３を照明装置本体から取り外すためセンタカバー３を照明装置本体から離隔させる場合、センタカバー３を、バネ部材２２の付勢力よりも大きな力で押し下げる（引っ張る）だけでバネ部材２２が凸部４１２から力を加えられて付勢部による係止が解除される方向（照明装置本体の中心に対して外側方向）に撓み、当接面４１２ａが屈曲面２２１ａに対して摺動することで容易に照明装置本体から取り外すことができる。
【００６２】
図９、図１０及び図１１はセンタカバー３を照明装置本体に取り付ける様子を示す説明図である。センタカバー３を照明装置本体に取り付ける場合、図９に示すように、まず、センタカバー３の一方側にある延設部材３１を照明装置本体にある引掛部材２１に引掛ける。
【００６３】
図１０は、延設部材３１を照明装置本体にある引掛部材２１に引掛けた状態を示す。延設部材３１が、センタカバー３の中央部の方向に沿って延設されているので、延設部材３１を引掛部材２１に引掛けた状態でもセンタカバー３が落下しない。センタカバー３の一方側が照明装置本体に引掛けられて保持された状態で、センタカバー３の他方側を押し上げる。
【００６４】
図１１に示すように、センタカバー３の一方側が照明装置本体に引掛けられて保持された状態で、センタカバー３の他方側を押し上げるだけで、被押圧部材４１がバネ部材２２に係止する。バネ部材２２の付勢力により、被押圧部材４１がバネ部材２２に確実に係止するので、センタカバー３を照明装置本体に確実に取り付けることができる。なお、センタカバー３を照明装置本体から取り外す場合には、図９〜図１１で示す操作と逆の順序の操作を行えばよい。
【００６５】
上述の例では、被押圧部材４１に凸部４１２を設ける構成であったが、これに限定されるものではない。
【００６６】
図１２は付勢部の構成の他の例を示す説明図である。図１２に示すように、付勢部を構成する被押圧部材４１は、板体３０の一面から立設した立設部４１１と、立設部４１１の前述の他縁辺側の表面に形成した凹部４１３とを有する。また、付勢部を構成するバネ部材２２は、先端側の近傍に凹部４１３の形状に合わせた係止部２２２を有する。係止部２２２は、例えば、凹部４１３に係止するようにバネ部材２２の一部を屈曲させた突出部分である。
【００６７】
凹部４１３は、係止部２２２に当接することにより、被押圧部材４１はバネ部材２２により押圧される。係止部２２２と凹部４１３とが係止するので、センタカバー３を照明装置本体に確実に係止させることができる。
【００６８】
また、凹部４１３の当接面４１３ａ及び係止部２２２の屈曲面２２２ａは、センタカバー３を照明装置本体から取り外す場合、お互いに摺動するように構成してある。すなわち、当接面４１３ａ及び屈曲面２２２ａは、垂直方向に対して摺動し易いように傾斜させてある。センタカバー３を照明装置本体から取り外すためセンタカバー３を照明装置本体から離隔させる場合、当接面４１３ａ及び屈曲面２２２ａ同士を摺動させることにより、センタカバー３を、バネ部材２２の付勢力よりも大きな力で押し下げる（引っ張る）だけで容易に照明装置本体から取り外すことができる。
【００６９】
上述の実施の形態では、センタカバー３の他方側だけをバネ部材の付勢力で係止するので、仮にセンタカバー３の他方側の付勢部による係止が外れた場合でも、センタカバー３の一方側の引掛部でセンタカバー３は照明装置本体に保持され落下することがなく、かつセンタカバー３が傾いた状態で保持されるので、付勢部で確実に係止されていない状態が直ぐに分かるという利点がある。
【００７０】
上述の実施の形態では、センタカバー３は照明装置本体の中央部に取り付ける構成であったが、センタカバー３の取り付け位置はこれに限定されるものではない。また、センタカバー３の平面視の形状が矩形状であったが、これに限定されるものではなく他の形状でもよい。
【００７１】
上述の実施の形態では、付勢部は、センタカバー３の他方側に立設された被押圧部材４１と、照明装置本体に設けられたバネ部材２２であったが、これに限定されるものではない。例えば、付勢部として、センタカバー３の他方側に立設されたバネ部材と、照明装置本体に設けられ、当該バネ部材により押圧される被押圧部材とを備える構成でもよい。この場合でも、バネ部材の付勢力が被押圧部材を押圧するので、センタカバー３を照明装置本体に確実に係止することができる。また、付勢力よりも大きな力でセンタカバー３を照明装置本体から引き下げることにより、センタカバー３を容易に取り外すことができる。
【００７２】
上述の実施の形態では、挟持部材をセンタカバー３に設ける構成であったが、これに限定されるものではなく、照明装置本体側に挟持部材を設けることもできる。この場合には、挟持部材は、引掛部材２１との間で延設部材３１を挟持するようにすればよい。
【００７３】
（実施の形態２）
上述の実施の形態１（例えば、図４）では、板体３０の一面の延設部材３１、３１の間の位置近傍に基台５１と、当該基台５１に帯状の板バネ５２とを備え、板バネ５２の端部に挟持部材５２１を備える構成であったが、これに限定されるものではない。以下、挟持部材の他の例について説明する。
【００７４】
図１３は実施の形態２のセンタカバー３の構成の例を示す分解斜視図であり、図１４は実施の形態２のセンタカバー３の要部斜視図である。また、図１５は引掛部材２１の外観斜視図である。なお、図１５の構成は、実施の形態１、２で同じである。図１３、図１４の例では、図４の例の基台５１及び板バネ５２に代えて、ガイドリブ６１、挟持部材としての補助スプリング６２、スプリングカバー板６３、ビス６４、ビス孔６５などを備える点で異なる。
【００７５】
ガイドリブ６１は、板体３０の一面に立設した平面視が略Ｕ字状の側壁部６１１を有し、側壁部６１１の一方側（板体３０の中央側）には湾曲した湾曲部６１１ａを有し、側壁部６１１の他方側は対設した構成をなす。側壁部６１１は、湾曲部６１１ａの方向に向かって高くなる稜６１２を有する。
【００７６】
稜６１２の高さが板体３０の中央部に向かって高くなるように形成してあるので、センタカバー３０を斜めにして、延設部材３１を照明装置本体の引掛部材２１に引掛ける場合、稜６１２は略水平となり、引掛部材２１にスムーズに引掛けることができる。
【００７７】
側壁部６１１の内側には、補助スプリング６２が配置され、側壁部６１１の一部には、補助スプリング６２の一部が露出するように開口部６１３を設けてある。
【００７８】
補助スプリング６２は、中途をコイル状に券回したコイル部６２３と、一端側を略Ｌ字状に形成してなる撓み部６２１及び留め部６２２とを有する。補助スプリング６２をガイドリブ６１の内側に配置し、補助スプリング６２を覆うようにスプリングカバー板６３を配置し、ビス６４で固定する。スプリングカバー板６３は、例えば、合成樹脂製であり、補助スプリング６２に引掛部材２１から力が加わったときに補助スプリング６２の移動をガイドする。補助スプリング６２をガイドリブ６１の内部に取り付けた状態で、撓み部６２１及び留め部６２２がガイドリブ６１から露出する。
【００７９】
また、図１５に示すように、引掛部材２１は、延設部材３１、３１の位置に合わせて離隔して設けてあり、対向する引掛部材２１の縁辺は略Ｌ字状に形成してなるガイド部２１１及び固定部２１２を有する。
【００８０】
センタカバー３０を照明装置本体に取り付ける場合には、図１３及び図１４において符号Ｄで示す矢印の向きにセンタカバー３０を移動させる。このとき、稜６１２とガイド部２１１とがガイドとなって引掛け位置を容易に合わせることができる。
【００８１】
センタカバー３０を矢印Ｄの方向に沿ってさらに移動させると、ガイド部２１１が補助スプリング６２の撓み部６２１に当接して符号Ｅで示す矢印の方向に移動しつつ符号Ｆで示す矢印の向きに力が加わり、撓み部６２１がガイドリブ６１の内側の方へ押圧され撓む。
【００８２】
さらに、センタカバー３０を矢印Ｄの方向に沿ってさらに移動させると、ガイド部２１１及び固定部２１２が撓み部６２１から離れ、補助スプリング６２の付勢力により撓み部６２１が元の形状に復帰し、留め部６２２がガイドリブ６１（開口部６１３）から外側へ突出することにより、留め部６２２が固定部２１２に当接する。これにより、引掛部材２１が延設部材３１と補助スプリング６２の留め部６２２との間で挟持され、板バネ５２の挟持部材５２１の場合と同様に、センタカバー３０を取付方向と反対側の方向へ移動することを規制し、センタカバー３０の落下を防止することができる。
【００８３】
また、図１５に示すように、センタカバー３０の周辺の透光カバー２は、センタカバー３０の方向に沿って凹状に傾斜する傾斜面２０１を有するので、センタカバー３０が取付方向と反対側に若干移動した場合には、センタカバー３０の縁辺が傾斜面２０１に当たることになる。このため、センタカバー３０が取付方向と反対側に移動することを傾斜面２０１が規制するので、さらにセンタカバー３０が外れて落下しにくくなる。なお、傾斜面２０１を有する点は、実施の形態１も同様である。
【００８４】
センタカバー３０を照明装置本体から取り外す場合には、付勢部による係止を解除し、センタカバー３０の他方側を取り外した後、延設部材３１の取付方向と反対側の方向へセンタカバー３０を若干強く押すことで、補助スプリング６２の留め部６２２がガイドリブ６１の内側に向かって移動し、固定部２１２から離れるので、センタカバー３０の延設部材３１を引掛部材２１から取り外すことができる。
【００８５】
（実施の形態３）
上述の実施の形態１、２では、付勢部としてバネ部材２２を用いる構成であったが、バネ部材の形状は限定されるものではない。以下、付勢部としてのバネ部材の他の形状について説明する。
【００８６】
図１６は実施の形態３のバネ部材２３の外観斜視図であり、図１７は実施の形態３のバネ部材２３の側面図である。バネ部材２３は、所定寸法の平板の内側に略Ｕ字状の切欠きを設け、両端側の支持板部２３１によって支持される中割れ形状をなす。切欠きの内側には、中板部２３２を設けてある。支持板部２３１は、中途に略９０°屈曲させた屈曲部２３１ｂを有し、端側には、被押圧部材４１の凸部４１２が係止する係止部２３３を有する。
【００８７】
センタカバー３の延設部材３１を照明装置本体の引掛部材２１に引掛けて保持した状態で、センタカバー３の他方側を照明装置本体の方向に向かって押し上げる場合、被押圧部材４１の凸部４１２がバネ部材２３の中板部２３２の表面を摺動して、バネ部材２３の先端側へ移動する。この際にバネ部材２３は、付勢力に反する方向（図１７中、矢印Ｇで示す方向）に撓むので、バネ部材２３の被押圧部材４１に対する押圧力は増加する。この場合、バネ部材２３は、破線で示す位置に移動する。
【００８８】
被押圧部材４１の凸部４１２が、バネ部材２３の先端が屈曲した角に位置する係止部２３３付近に到達した状態でバネ部材２３の被押圧部材４１に対する押圧力は最も大きくなる。しかし、凸部４１２が係止部２３３を通過した後は、バネ部材２３の付勢力により、バネ部材２３の撓みが軽減してバネ部材２３は元の形状に近い形状に戻り、凸部４１２の当接面４１２ａが係止部２３３に係止する。
【００８９】
バネ部材２３は、切欠きで支持板部２３１と中板２３２とを分離しているので、支持板部２３１の幅は比較的小さい。また、支持板部２３１は屈曲部２３１ｂを有するので、センタカバー３０を下方に引き下げる際にバネ部材２３に作用する力に対する曲げモーメントを大きくすることができ、小さい力でバネ部材２３を曲げることができる。このため、センタカバー３０の被押圧部材４１を外しやすくすることができる。
【００９０】
上述の実施の形態では、シーリングライトとしての照明装置について説明したが、照明装置は、シーリングライトに限定されるものでなく、他の照明装置であってよい。また、光源としてＬＥＤモジュールを備える照明装置について説明したが、光源はＬＥＤモジュールに限定されるものではなく、ＥＬ（Electro-Luminescence）など他の光源でもよい。
【符号の説明】
【００９１】
１  シャーシ
２  透光カバー
３  センタカバー
１０  開口部
２１  引掛部材
２２  バネ部材
２２１、２２２  係止部
２２１ａ、２２２ａ  屈曲面
３１  延設部材
４１  被押圧部材
４１２  凸部
４１３  凹部
４１２ａ、４１３ａ  当接面
５２１  挟持部材
【図１】
2013026044.tif 000003
【図２】
2013026044.tif 000004
【図３】
2013026044.tif 000005
【図４】
2013026044.tif 000006
【図５】
2013026044.tif 000007
【図６】
2013026044.tif 000008
【図７】
2013026044.tif 000009
【図８】
2013026044.tif 000010
【図９】
2013026044.tif 000011
【図１０】
2013026044.tif 000012
【図１１】
2013026044.tif 000013
【図１２】
2013026044.tif 000014
【図１３】
2013026044.tif 000015
【図１４】
2013026044.tif 000016
【図１５】
2013026044.tif 000017
【図１６】
2013026044.tif 000018
【図１７】
2013026044.tif 000019